(57)【特許請求の範囲】
【請求項１】
メダルを用いる遊技機に隣接して設置され、利用者の操作に応じて所定数のメダルを払い出すメダル貸出機において、
前面側が、前記遊技機の前面と略整列するように設置される貸出機本体と、
この貸出機本体の前面側に対して着脱自在に取り付けられる払出部パネルと、
前記貸出機本体の内部に設けられ、メダルを繰り出す繰出口を有したメダル繰出し装置と
を備え、
前記払出部パネルとして、
（ｉ）パネル本体と、利用者が手でメダルを取り出すための受皿形のメダル投出部とを有し、前記メダル投出部は、前記パネル本体の表側に突出して設けられたメダル取出部と、前記パネル本体の裏側に設けられ、前記メダル繰出し装置の繰出口に対応する位置に上方開口が形成されたメダル導入部とを具備する、第１の払出部パネルと、
（ii）パネル本体と、前記遊技機の前面に設けられたメダル受皿に対してメダルを送り込むためのメダルシュートとを有し、前記メダルシュートは、前記パネル本体の表側に突出して設けられたメダル案内路と、前記パネル本体の裏側に設けられ、先端部が前記メダル繰出し装置の繰出口に対応する位置へ延びたメダル導入部とを具備する、第２の払出部パネルと
のいずれかを任意に選択可能となっており、
前記貸出機本体の前面側に形成され、当該貸出機本体内へのメダル補給を行うためのメダル補給口と、
このメダル補給口を開閉可能とするために、前記貸出機本体に対して取り付けられた補給口扉と、
この補給口扉を前記貸出機本体に対して施錠するための、外部から操作可能な補給口施錠装置と、
前記払出部パネルを前記貸出機本体に対して内部から係止すると共に、前記メダル補給口を通じて手動で係止解除可能となった係止装置と
を更に備え、
前記払出部パネルは、前記係止装置の係止解除により前記貸出機本体から単独で取り外し可能に構成されている
ことを特徴とするメダル貸出機。
【請求項２】
メダルを用いる遊技機に隣接して設置され、利用者の操作に応じて所定数のメダルを払い出すメダル貸出機において、
前面側が、前記遊技機の前面と略整列するように設置される貸出機本体と、
この貸出機本体の前面側に対して着脱自在に取り付けられる払出部パネルと、
前記貸出機本体の内部に設けられ、メダルを繰り出す繰出口を有したメダル繰出し装置と
を備え、
前記払出部パネルとして、
（ｉ）パネル本体と、利用者が手でメダルを取り出すための受皿形のメダル投出部とを有し、前記メダル投出部は、前記パネル本体の表側に突出して設けられたメダル取出部と、前記パネル本体の裏側に設けられ、前記メダル繰出し装置の繰出口に対応する位置に上方開口が形成されたメダル導入部とを具備する、第１の払出部パネルと、
（ii）パネル本体と、前記遊技機の前面に設けられたメダル受皿に対してメダルを送り込むためのメダルシュートとを有し、前記メダルシュートは、前記パネル本体の表側に突出して設けられたメダル案内路と、前記パネル本体の裏側に設けられ、先端部が前記メダル繰出し装置の繰出口に対応する位置へ延びたメダル導入部とを具備する、第２の払出部パネルと
のいずれかを任意に選択可能となっており、
前記貸出機本体の前面側に形成され、当該貸出機本体内へのメダル補給を行うためのメダル補給口と、
このメダル補給口を開閉可能とするために、前記貸出機本体に対して取り付けられた補給口扉と、
この補給口扉を前記貸出機本体に対して施錠するための、外部から操作可能な補給口施錠装置と、
前記払出部パネルを前記貸出機本体に対して内部から係止すると共に、前記補給口扉を開けることで係止解除可能となる係止装置と
を更に備え、
前記払出部パネルは、前記係止装置の係止解除により前記貸出機本体から単独で取り外し可能に構成されている
ことを特徴とするメダル貸出機。
【発明の詳細な説明】
【０００１】
【発明の属する技術分野】
本発明は、メダルを用いる遊技機に隣接して（例えば隣り合う遊技機同士の間に）設置され、利用者の操作に応じて所定数のメダルを払い出すメダル貸出機に関する。
【０００２】
【従来の技術】
図８及び図９には、従来のメダル貸出機Ｍ’，Ｍ"の例が示されている。これらのメダル貸出機Ｍ’，Ｍ"は、メダルを用いる遊技機Ｇに隣接して設置され、利用者の操作に応じて所定数のメダルを払い出すように構成されている。
【０００３】
まず、図８に示す投出部形式のメダル貸出機Ｍ’は、縦長の箱状の本体１’を備えている。この本体１’は、前面側が、遊技機Ｇの前面１００と略整列するように設置される。本体１’の前面側には、下から順に払出部パネル２、補給口扉３および上部パネル８が取り付けられている。このうち払出部パネル２には、利用者が手でメダルを取り出すための受皿形のメダル投出部２ａが設けられている。
【０００４】
また、補給口扉３は、本体１内へのメダル補給を行うための補給口を開閉可能とするように、本体１に対して取り付けられている。そして、上部パネル８には、メダルの払い出し操作を行うために、カード挿入口ないし紙幣挿入口８０の他、各種の操作ボタンや表示ランプ等が設けられている。
【０００５】
次に、図９に示すメダルシュート形式のメダル貸出機Ｍ"は、払出部パネル２に、上記メダル投出部２ａに代えてメダルシュート２ｂが設けられている。このメダルシュート２ｂは、遊技機Ｇの前面１００下部に設けられたメダル受皿１１０に対してメダルを送り込むためのものである。なお、その他の構成は、図８に示すメダル貸出機Ｍ’と同様である。
【０００６】
ここで、図８に示す投出部形式のメダル貸出機Ｍ’は基本的に、隣り合う遊技機Ｇ同士の間に、遊技機Ｇ：貸出機Ｍ’＝２：１の台数比で設置され、その両隣りの遊技機Ｇを利用する２人の利用者によって共用されることになる。一方、図９に示すメダルシュート形式のメダル貸出機Ｍ"は基本的に、各遊技機Ｇの片側に、遊技機Ｇ：貸出機Ｍ"＝１：１の台数比で設置され、対応する遊技機Ｇを利用する１人の利用者によって専用されることになる。
【０００７】
【発明が解決しようとする課題】
上述したような従来のメダル貸出機には、以下のような問題点がある。
【０００８】
まず、投出部形式のメダル貸出機Ｍ’は、メダルシュート形式のものに比べて、構造が簡単で単価が安くなる上、遊技機Ｇに対する台数が半分で済むので、設置費用が安く済む。しかし、利用者にとっては、隣りの利用者の使用中にはメダル貸出機Ｍ’が使えず、また払い出されたメダルを手で取り出さなくてはならないので不便な面がある。
【０００９】
一方、メダルシュート形式のメダル貸出機Ｍ"は、利用者にとっては、自分専用のメダル貸出機Ｍ"をいつでも使うことができ、また遊技機Ｇのメダル受皿１１０にメダルを直接送り込んでくれるので便利である。しかし、投出部形式のものに比べて、構造が複雑で単価が高い上、遊技機Ｇに対する台数が２倍必要になるので、設置費用が高くなってしまう。
【００１０】
このため、遊技場によっていずれかの形式のメダル貸出機Ｍ’，Ｍ"のみを採用したり、遊技場内のコーナー毎に異なる形式のメダル貸出機Ｍ’，Ｍ"を設置する場合などがある。これに対応すべく、メダル貸出機のメーカーとしては、両方の形式のメダル貸出機Ｍ’，Ｍ"を生産する必要があるため、生産効率が低くなってしまうという問題がある。
【００１１】
また、遊技場に一旦設置されたメダル貸出機の形式を変更する場合は、メダル貸出機Ｍ’，Ｍ"全体を入れ換える必要がある。このため、入れ換えられた旧製品を廃棄する等の無駄が生じてしまう。さらに、入れ換え工事のために遊技場を休業する必要があり、営業面での無駄（損失）も生ずることとなる。
【００１２】
本発明は、このような点を考慮してなされたものであり、メダル投出部形式とメダルシュート形式の両方に対応しながら、生産効率を向上させると共に、製品の廃棄や入れ換え工事のための休業といった無駄を低減できるようなメダル貸出機を提供することを目的とする。
【００１３】
第１の発明は、メダルを用いる遊技機に隣接して設置され、利用者の操作に応じて所定数のメダルを払い出すメダル貸出機において、前面側が、前記遊技機の前面と略整列するように設置される貸出機本体と、この貸出機本体の前面側に対して着脱自在に取り付けられる払出部パネルと、前記貸出機本体の内部に設けられ、メダルを繰り出す繰出口を有したメダル繰出し装置とを備え、前記払出部パネルとして、（ｉ）パネル本体と、利用者が手でメダルを取り出すための受皿形のメダル投出部とを有し、前記メダル投出部は、前記パネル本体の表側に突出して設けられたメダル取出部と、前記パネル本体の裏側に設けられ、前記メダル繰出し装置の繰出口に対応する位置に上方開口が形成されたメダル導入部とを具備する、第１の払出部パネルと、（ii）パネル本体と、前記遊技機の前面に設けられたメダル受皿に対してメダルを送り込むためのメダルシュートとを有し、前記メダルシュートは、前記パネル本体の表側に突出して設けられたメダル案内路と、前記パネル本体の裏側に設けられ、先端部が前記メダル繰出し装置の繰出口に対応する位置へ延びたメダル導入部とを具備する、第２の払出部パネルとのいずれかを任意に選択可能となっており、前記貸出機本体の前面側に形成され当該貸出機本体内へのメダル補給を行うためのメダル補給口と、このメダル補給口を開閉可能とするために前記貸出機本体に対して取り付けられた補給口扉と、この補給口扉を前記貸出機本体に対して施錠するための外部から操作可能な補給口施錠装置と、前記払出部パネルを前記貸出機本体に対して内部から係止すると共に前記メダル補給口を通じて手動で係止解除可能となった係止装置と、を更に備え、前記払出部パネルは、前記係止装置の係止解除により前記貸出機本体から単独で取り外し可能に構成されていることを特徴とするメダル貸出機である。
【００１４】
この第１の発明によれば、上記（ｉ）のような構成のメダル投出部を有する第１の払出部パネルと上記（ii）のような構成のメダルシュートを有する第２の払出部パネルのいずれかを任意に選択して、貸出機本体の前面側に対して着脱自在に取り付けることができる。従って、メダル投出部形式とメダルシュート形式の両方に対応しながら、払出部パネル以外の貸出機本体側の部品の共通化を図ることができる。また、一旦設置されたメダル貸出機の形式をメダル投出部形式とメダルシュート形式との間で変更する場合も、貸出機本体は設置したままで払出部パネルを交換するだけで済むことになる。そして、この第１の発明によれば、払出部パネルを貸出機本体から取り外す場合は、まず補給口施錠装置を外部から操作して施錠を解き、補給口扉を開いてメダル補給口を開ける。そして、係止装置による払出部パネルの係止を、メダル補給口を通じて手動で解除することで、係止装置の係止解除により、払出部パネルが貸出機本体から単独で取り外し可能となる。そして、補給口施錠装置によって、補給口扉と払出部パネルの両方についての保安を確保することができるので、払出部パネル専用の施錠装置を設ける必要がなくなる。
【００１５】
第２の発明は、メダルを用いる遊技機に隣接して設置され、利用者の操作に応じて所定数のメダルを払い出すメダル貸出機において、前面側が、前記遊技機の前面と略整列するように設置される貸出機本体と、この貸出機本体の前面側に対して着脱自在に取り付けられる払出部パネルと、前記貸出機本体の内部に設けられ、メダルを繰り出す繰出口を有したメダル繰出し装置とを備え、前記払出部パネルとして、（ｉ）パネル本体と、利用者が手でメダルを取り出すための受皿形のメダル投出部とを有し、前記メダル投出部は、前記パネル本体の表側に突出して設けられたメダル取出部と、前記パネル本体の裏側に設けられ、前記メダル繰出し装置の繰出口に対応する位置に上方開口が形成されたメダル導入部とを具備する、第１の払出部パネルと、（ii）パネル本体と、前記遊技機の前面に設けられたメダル受皿に対してメダルを送り込むためのメダルシュートとを有し、前記メダルシュートは、前記パネル本体の表側に突出して設けられたメダル案内路と、前記パネル本体の裏側に設けられ、先端部が前記メダル繰出し装置の繰出口に対応する位置へ延びたメダル導入部とを具備する、第２の払出部パネルとのいずれかを任意に選択可能となっており、前記貸出機本体の前面側に形成され当該貸出機本体内へのメダル補給を行うためのメダル補給口と、このメダル補給口を開閉可能とするために前記貸出機本体に対して取り付けられた補給口扉と、この補給口扉を前記貸出機本体に対して施錠するための外部から操作可能な補給口施錠装置と、前記払出部パネルを前記貸出機本体に対して内部から係止すると共に前記補給口扉を開けることで係止解除可能となる係止装置と、を更に備え、前記払出部パネルは、前記係止装置の係止解除により前記貸出機本体から単独で取り外し可能に構成されていることを特徴とするメダル貸出機である。
【００１６】
この第２の発明によれば、上記（ｉ）のような構成のメダル投出部を有する第１の払出部パネルと上記（ii）のような構成のメダルシュートを有する第２の払出部パネルのいずれかを任意に選択して、貸出機本体の前面側に対して着脱自在に取り付けることができる。従って、メダル投出部形式とメダルシュート形式の両方に対応しながら、払出部パネル以外の貸出機本体側の部品の共通化を図ることができる。また、一旦設置されたメダル貸出機の形式をメダル投出部形式とメダルシュート形式との間で変更する場合も、貸出機本体は設置したままで払出部パネルを交換するだけで済むことになる。そして、この第２の発明によれば、払出部パネルを貸出機本体から取り外す場合は、まず補給口施錠装置を外部から操作して施錠を解き、補給口扉を開いてメダル補給口を開ける。これによって係止解除可能となる係止装置の係止を解除することにより、払出部パネルが貸出機本体から単独で取り外し可能となる。そして、補給口施錠装置によって、補給口扉と払出部パネルの両方についての保安を確保することができるので、払出部パネル専用の施錠装置を設ける必要がなくなる。
【００１９】
【発明の実施の形態】
次に、図面を参照して本発明の実施の形態について説明する。図１乃至図７は本発明によるメダル貸出機Ｍの実施の形態を示す図である。なお、図１乃至図７に示す本発明の実施の形態において、図８及び図９に示す従来のメダル貸出機と同一の構成部分には同一符号を付すと共に、適宜図８及び図９も参照して説明する。
【００２０】
［第１ の実施形態］
まず、図１乃至図６により本発明の第１の 実施形態について説明する。
【００２１】
〈構  成〉
図１において、本実施形態のメダル貸出機Ｍは、縦長の箱状の本体１と、この本体１の前面側１０に対して着脱自在に取り付けられる払出部パネル２Ａ，２Ｂとを備えている（図１には、一部取外し状態の払出部パネル２Ａのみ示す）。なお、メダル貸出機Ｍの本体１は、メダルを用いる遊技機に隣接すると共に、その前面側１０が、遊技機Ｇの前面１００（図８及び図９参照）と略整列するように設置される。
【００２２】
そして、このメダル貸出機Ｍは、払出部パネル２Ａ，２Ｂとして、
（ｉ）利用者が手でメダルを取り出すための受皿形のメダル投出部２ａを有する払出部パネル２Ａ（図２及び図４参照）と、
（ii）遊技機Ｇの前面１００に設けられたメダル受皿１１０（図９参照）に対してメダルを送り込むためのメダルシュート２ｂを有する払出部パネル２Ｂ（図３及び図５参照）
のいずれかを任意に選択可能となっている。
【００２３】
ここで、メダル貸出機Ｍの本体１内部は、上から順にカード処理部Ｍ１、メダル処理部Ｍ２及び電源部Ｍ３に区分けされている。このうち、カード処理部Ｍ１は、内部にプリペイドカードを処理するためのカード処理装置９等が設けられ、その前面側に上部パネル８が取り付けられている。メダル処理部Ｍ２の内部には、メダル繰出し装置６と、この繰出し装置６の上部に連結されたメダル貯留用のホッパ７とが設けられている。また、電源部Ｍ３内には、図示しない電源装置等が設けられている。
【００２４】
メダル処理部Ｍ２の上部前面側（上部パネル８の下方）には、ホッパ７へのメダル補給を行うためのメダル補給口３Ａと、このメダル補給口３Ａに対応した補給口扉３Ｂとが設けられている。この補給口扉３Ｂは、補給口３Ａを開閉可能とするために、本体１に対して底辺部分３２を軸として揺動自在に取り付けられている。また、補給口扉３Ｂの下方には、メダル処理部Ｍ２の残りの部分と電源部Ｍ３との前面側を塞ぐようにして、上記払出部パネル２Ａ，２Ｂが取り付けられる。
【００２５】
ここで、払出部パネル２Ａ，２Ｂの詳細な構成について説明する。まず、図２及び図４に示す払出部パネル２Ａは、パネル本体２０と、このパネル本体２０の略中央に設けられた上記受皿形の投出部２ａとを有している。この投出部２ａは、パネル本体２０の裏側に突出して上方に開口したメダル導入部２１と、パネル本体２０の表側に突出して上方に開口したメダル取出部２２とを有している。
【００２６】
次に、図３及び図５に示す払出部パネル２Ｂは、パネル本体２０’と、このパネル本体２０’の中央よりやや下側に設けられた上記メダルシュート２ｂとを有している。このメダルシュート２ｂは、パネル本体２０’の裏側に突出して斜め上方に延びたメダル導入路２４と、パネル本体２０’の表側に突出して斜め下方に延びたメダル案内路２５とを有している。これらのメダル導入路２４及びメダル案内路２５は、略矩形の横断面を有している。
【００２７】
後者のメダル案内路２５は、正面から見て（図５（ａ））左方へ湾曲して延びている。このメダル案内路２５の基端側は、略箱状の囲い部材２６によって囲まれている。また、メダル案内路２５の先端部下側には、メダル誘導板２７が揺動自在に取り付けられている。
【００２８】
なお、図１に示すように、上記メダル繰出し装置６は、ホッパ７から供給されるメダルを繰り出すための繰出し口６０を有している。そして、図４（ｂ）に示すように、本体１に払出部パネル２Ａを取り付けた場合には、その投出部２ａにおけるメダル導入部２１の上縁部が、メダル繰出し装置６の繰出し口６０に対応するようになっている。また、図５（ｂ）に示すように、本体１に払出部パネル２Ｂを取り付けた場合には、そのメダルシュート２ｂにおけるメダル導入路２４の先端部が、メダル繰出し装置６の繰出し口６０に対応するようになっている。
【００２９】
ここで、図２及び図３に示すように、両払出部パネル２Ａ，２Ｂの上縁部と下縁部の裏側には、それぞれ上方係合金具４０と下方係合金具４２とが固着されている。このうち上方係合金具４０は、パネル本体２０，２０’に対して略垂直に延びると共に、先端部４１が下向きに折り返されたフック状をなしている（図６参照）。また、下方係合金具４２は、下側部分がパネル本体２０，２０’に対して間隔を置いて略平行に下方へ延びている。
【００３０】
一方、本体１側には、図１、図４（ｂ）及び図５（ｂ）に示すように、払出部パネル側の上方係合金具４０及び下方係合金具４２にそれぞれ対応して、上方係合金具４４及び下方係合金具４６が固着されている。このうち上方係合金具４４には、図６に示すように、払出部パネル側の上方係合金具４０のフック状先端部４１を通してこれを係止するための係合孔部４５が形成されている。また、下方係合金具４６は、払出部パネル側の下方係合金具４２の下側部分とパネル本体２０，２０’との間に下方から入り込んで係合するようになっている。
【００３１】
そして、これらの係合金具４０，４２，４４，４６（特に上方係合金具４０，４４）は、払出部パネル２Ａ，２Ｂを本体１に対して内部から係止すると共に、（後述するようにして）メダル補給口３Ａを通じて手動で係止解除可能となった係止装置を構成している。
【００３２】
次に、図１、４（ａ）及び図５（ａ）に示すように、補給口扉３Ｂの上部には、当該補給口扉３Ｂを本体１に対して施錠するための補給口施錠装置３０が設けられている。この補給口施錠装置３０は、鍵によって外部から操作可能となっている。また、上部パネル８には、メダルの払い出し操作を行うために、カード挿入口８０の他、各種の操作ボタン８２や表示部８４等が設けられている。なお、上部パネル８の下部にも、当該上部パネル８を本体１に対して施錠するための施錠装置８６が設けられている。
【００３３】
〈払出部パネルの交換方法〉
次に、本実施形態のメダル貸出機Ｍにおける払出部パネル２Ａ，２Ｂの交換方法等について、主に図１を参照して説明する。
【００３４】
まず、払出部パネル２Ａ，２Ｂを本体１から取り外す場合は、まず補給口施錠装置３０を外部から鍵で操作して施錠を解き、補給口扉３Ｂを手前に開いてメダル補給口３Ａを開ける（図１の矢印ａ１）。次に、メダル補給口３Ａから手を入れて（図４参照）、払出部パネル側の上方係合金具４０のフック状先端部４１を指先で持ち上げることで、本体側の上方係合金具４４との係合を解除する（図６参照）。
【００３５】
これにより、払出部パネル２Ａ，２Ｂの上部を前方に引き出すことができる（図１の矢印ａ２）。次に、払出部パネル２Ａ，２Ｂを上方に引き上げることで、払出部パネル側と本体側の下方係合金具４２，４６同士の係合を解除する（図１の矢印ａ３）。以上のようにして、本体１に対する払出部パネル２Ａ，２Ｂの係止が解除され、払出部パネル２Ａ，２Ｂが本体１から取り外される。
【００３６】
次に、交換用の払出部パネル２Ａ，２Ｂを本体１に取り付ける場合は、まず、払出部パネル側の下方係合金具４２を本体側の下方係合金具４６に対して上方から差し込んで係合させる（図１の矢印ａ４）。次に、払出部パネル２Ａ，２Ｂの上部を本体１に向かって押し付ける（図１の矢印ａ５）ことで、払出部パネル側の上方係合金具４０の先端部４１が、本体側の上方係合金具４４の係合孔部４５に挿入され、前者の係合金具４０の弾性によって、そのフック状先端部４１が後者の係合金具４４と係合する（図６参照）。
【００３７】
以上のようにして払出部パネル２Ａ，２Ｂが本体１に対して係止されたら、補給口扉３Ｂを戻してメダル補給口３Ａを閉じる（図１の矢印ａ６）。最後に、補給口施錠装置３０を外部から鍵で操作して、補給口扉３Ｂを施錠する。
【００３８】
なお、払出部パネル２Ａ，２Ｂの交換以外にも、払出部パネル２Ａ，２Ｂを同様の手順で一時的に取り外すことで、本体１内におけるメダル繰出し装置６の詰まり解除等のメンテナンスを行うことができる。
【００３９】
〈作用効果〉
次に、以上のような構成よりなる本実施形態の作用効果について説明する。
【００４０】
本実施形態によれば、メダル投出部２ａを有する払出部パネル２Ａとメダルシュート２ｂを有する払出部パネル２Ｂのいずれかを任意に選択して、本体１の前面側１０に対して着脱自在に取り付けることができる。従って、払出部パネル２Ａ，２Ｂ以外の本体１側の部品の共通化を図ることができる。また、一旦設置されたメダル貸出機Ｍの形式を、メダル投出部２ａを有するものとメダルシュート２ｂを有するものとの間で変更する場合も、本体１は設置したままで払出部パネル２Ａ，２Ｂを交換するだけで済むことになる。
【００４１】
また、メダル補給口３Ａを通じて手動で係止解除可能な係止装置４０，４２，４４，４６によって払出部パネル２Ａ，２Ｂを本体１に対して内側から係止するようにしたので、補給口扉３Ｂを施錠する補給口施錠装置３０によって、補給口扉３Ｂと払出部パネル２Ａ，２Ｂの両方についての保安を確保することができる。従って、本実施形態においては、払出部パネル２Ａ，２Ｂ専用の施錠装置を設ける必要がなくなるので、コスト的に有利であると共に、鍵の管理も容易となる。また、払出部パネル２Ａ，２Ｂの着脱を、道具等を用いることなく手だけで容易に行うことができる。
【００４２】
［第２ の実施形態］
次に、図７により本発明の第２の 実施形態について説明する。
【００４３】
〈構  成〉
本実施形態は、図７に示すように、払出部パネル２Ａ，２Ｂの上部に、上記上方係合金具４０に代えて払出部施錠装置２８を設けた点で上記第１の実施形態と異なり、その他の構成は図１乃至図６に示す上記第１の実施形態と同様である。
【００４４】
そして、本実施形態の払出部施錠装置２８は、払出部パネル２Ａ，２Ｂを本体１に対して施錠するためのものであり、上記補給口施錠装置３０と同様、鍵によって外部から操作可能となっている。また、この払出部施錠装置２８は、上記本体側の上方係合金具４４に対応した上方係合金具４４’と協働するようになっている。
【００４５】
〈作用効果〉
本実施形態によれば、払出部施錠装置２０を外部から鍵で操作して払出部パネル２Ａ，２Ｂの着脱を行うことで、払出部パネル２Ａ，２Ｂの交換作業を確実かつ容易に行うことができる。また、補給口扉３Ｂの補給口施錠装置３０とは別に、払出部パネル２Ａ，２Ｂ専用の払出部施錠装置２８を設けることで、それぞれの鍵を持つ係員を区別して、メダルの補給を行う係員と払出部パネルの着脱を行う係員との責任分担の明確化を図る等の対応が可能となる。
【００４６】
［その他の実施形態］
上記の実施形態においては、プリペイドカードの使用を前提としたカード処理装置９やカード挿入口８０を備えたものについて説明したが、それら代えて、紙幣の使用を前提とした紙幣処理装置や紙幣挿入口を備えたもの等としてもよい。
【００４７】
また、メダル投出部やメダルシュートの具体的形態は上述したものに限られず、利用者が手でメダルを取り出すための受皿形のものであれば他の形態を有していてもよい。同様に、メダルシュートの具体的形態も上述したものに限られず、隣接した遊技機のメダル受皿に対してメダルを送り込めるものであれば、他の形態を有していてもよい。
【００４８】
【発明の効果】
本発明によれば、上記（ｉ）のような構成のメダル投出部を有する第１の払出部パネルと上記（ii）のような構成のメダルシュートを有する第２の払出部パネルのいずれかを任意に選択して、貸出機本体の前面側に対して着脱自在に取り付けることができる。従って、第１および第２の払出部パネルそれぞれの具体的構成に基づくメダル投出部形式とメダルシュート形式の両方に対応しながら、払出部パネル以外の貸出機本体側の部品の共通化を図ることができるので、生産効率を向上させることができる。また、一旦設置されたメダル貸出機の形式をメダル投出部形式とメダルシュート形式との間で変更する場合も、貸出機本体は設置したままで払出部パネルを交換するだけで済む。このため、従来のようにメダル貸出機全体を入れ換える場合に比べて、製品の廃棄や入れ換え工事のための休業といった無駄を大幅に低減させることができる。
【図面の簡単な説明】
【図１】 本発明によるメダル貸出機の第１の実施形態を払出部パネルの着脱手順と共に示す、内部構造を一部省略した縦断面図。
【図２】 図１に示すメダル貸出機に用いられる、メダル投出部を有した払出部パネルを単体で示す側面図。
【図３】 図１に示すメダル貸出機に用いられる、メダルシュートを有した払出部パネルを単体で示す側面図。
【図４】 図１に示すメダル貸出機を、図２に示すメダル投出部を有した払出部パネルを取り付けた状態で示す図であって、（ａ）は正面図、（ｂ）は払出部パネル側のみを示す縦断面図。
【図５】 図１に示すメダル貸出機を、図３に示すメダルシュートを有した払出部パネルを取り付けた状態で示す図であって、（ａ）は正面図、（ｂ）は払出部パネル側のみを示す縦断面図。
【図６】 図１に示すメダル貸出機の係止装置の一部を拡大して示す縦断面図。
【図７】 本発明によるメダル貸出機の第２の実施形態を示す縦断面図。
【図８】 従来の投出部形式のメダル貸出機を設置状態で示す正面図。
【図９】 従来のメダルシュート形式のメダル貸出機を設置状態で示す正面図。
【符号の説明】
Ｇ  遊技機
１００  前面
１１０  メダル受皿
Ｍ  メダル貸出機
Ｍ１  カード処理部
Ｍ２  メダル処理部
Ｍ３  電源部
１  本体
１０  前面側
２Ａ  （メダル投出部を有した）払出部パネル
２ａ  メダル投出部
２０  パネル本体
２Ｂ  （メダルシュートを有した）払出部パネル
２ｂ  メダルシュート
２０’  パネル本体
２８  払出部施錠装置
３Ａ  補給口
３Ｂ  補給口扉
３０  補給口施錠装置
４０  払出部パネル側の上方係合金具（係止装置）
４２  払出部パネル側の下方係合金具（係止装置）
４４  本体側の上方係合金具（係止装置）
４６  本体側の下方係合金具（係止装置）
６  メダル繰出し装置
６０  繰出し口
７  ホッパ
８  上部パネル
９  カード処理装置
【図１】
0004271353.tif 000002
【図２】
0004271353.tif 000003
【図３】
0004271353.tif 000004
【図４】
0004271353.tif 000005
【図５】
0004271353.tif 000006
【図６】
0004271353.tif 000007
【図７】
0004271353.tif 000008
【図８】
0004271353.tif 000009
【図９】
0004271353.tif 000010